(57)【要約】【課題】電灯線通信機器間の通信速度を向上させる。【解決手段】電灯線によって通信をおこなう通信手段と、電力消費量などの電灯線設備の状態を検出する手段と、を備えた第一の機器と、電灯線によって通信をおこなう通信手段と、電灯線通信機器の線路結合素子値を変更する手段と、を備えた第二の機器と、において、第一の機器と第二の機器の通信状態と電灯線設備の状態によって、第二の機器の線路結合素子値を変更する。【選択図】        図１
2004193711.tif 000002
【特許請求の範囲】
【請求項１】
電灯線によって通信をおこなう通信手段と、
電力消費量などの電灯線設備の状態を検出する手段と、
を備えた第一の機器と、
電灯線によって通信をおこなう通信手段と、
電灯線通信機器の線路結合素子値を変更する手段と、
を備えた第二の機器と、
において、
第一の機器と第二の機器の通信状態と電灯線設備の状態によって、
第二の機器の線路結合素子値を変更することを特徴とした電灯線通信の管理装置。
【請求項２】
第一の機器と第二の機器の通信状態とは、通信速度であり、電灯線設備の状態とは、消費電力であること。
【発明の詳細な説明】
【０００１】
【発明の属する技術分野】
本発明は、電灯線通信をおこなう機器のインピーダンス整合などを電灯線通信の状態に応じておこなう管理装置に関する。
【０００２】
【従来の技術】
電灯線通信は、機器の接続構成によって、線路インピーダンスが複雑に変化する。線路と機器のインピーダンス不整合は、送信利得を低下させ、電灯線通信の速度を低下させる。
【０００３】
そのため、公報番号：特開平８−３２４９５では、コンセントプラグ部のインピーダンス（抵抗、コンデンサ、コイル）を機械的に変更する手段が示されている。
【０００４】
【発明が解決しようとする課題】
しかしながら、前記、公報番号：特開平８−３２４９５は、機械的に変更する手段が示されているのみである。
【０００５】
例えば、ある機器のインピーダンスを変更することは、他の機器に対して線路インピーダンス変更することになり、いったん設定した後に、機器構成が変化することをシステム的に考慮したものではなかった。
【０００６】
よって、複数の機器が同時に動作する電灯線システムにおいて、全体の状況から制御をおこなうことが必要となっている。
【０００７】
【課題を解決するための手段】
本発明は、上記従来例の欠点に鑑みてなされたもので、
電灯線によって通信をおこなう通信手段と、
電力消費量などの電灯線設備の状態を検出する手段と、
を備えた第一の機器と、
電灯線によって通信をおこなう通信手段と、
電灯線通信機器の線路結合素子値を変更する手段と、
を備えた第二の機器と、
において、
第一の機器と第二の機器の通信速度を測定する手順を設け、
電力消費量と通信速度によって、第二の機器の線路結合素子値を変更するようにしたものである。
【０００８】
【発明の実施の形態】
（第１の実施例）
図１に、全体構成を示す。
【０００９】
各機器が電灯線を介して、通信するシステムである。
【００１０】
１００は、電力計を兼ねた本電灯線通信システムを管理する管理装置であり、従来例では、暗号化通信のための暗号キーの設定をおこなう。また、一般的に、各端末に電灯線パケットによって、コマンドを送出したり、電灯線上を流れる全てのパケットを監視したりする。
【００１１】
２００は、電灯線によって通信をおこなう機器である。３００は、電灯線通信機器のコンセントプラグで、詳細なブロックを図３に示している。各機器２００の制御部（ＣＰＵ）は、制御線３１３を介して、プラグ部の抵抗３０３、コンデンサ３０４、コイル３０５、極性３０６の値や状態を変更できるようになっている。
【００１２】
その他の、コンセントプラグ３０１、雷保護３０２、サージ保護３０７、送信アンプ３０９、受信アンプ３１２、フィルタ３１０／３１１は、従来のものと同様である。
【００１３】
また、送受信切り替え３０８によって、送信と受信を切り替え、半二重通信をおこなうのも、従来と同様である。
【００１４】
図３は、機器（Ａ、．．．、Ｋ）のブロック図、図４は、管理装置となる電力計のブロック図である。電灯線通信モデム部、アナログフロントエンド、ＣＰＵ、ＲＯＭ、ＲＡＭなどは共通である。機器は計時装置を、管理装置は電力メーターを、それぞれ備える。
【００１５】
以下、図５を用いて、本発明の特徴的な制御を説明する。
【００１６】
図５において、中央の点線から左欄は管理装置１００の動作を、右欄は機器１００の動作を示し、左欄から右欄・右欄から左欄への矢印はそれぞれへのコマンド・応答などを表すものとする。
【００１７】
ステップＳ１０１：
まず、管理装置（電力計）１００は、接続機器のアドレスを把握している。電力線通信においては、Ｅｔｈｅｒｎｅｔ（登録商標）などと同様なＭＡＣ（Ｍｅｄｉａ  Ａｃｃｅｓｓ  Ｃｏｎｔｒｏｌ）層を備えたパケットによって通信をおこなっており、本システムにおいても、ＭＡＣアドレスと独自に定めるデータ形式によって、各機器間で任意の情報のやりとりが可能になっている。
【００１８】
ステップＳ１０２：
電力メーター値の変化（微分値など）から、システム内の何らかの機器が動作したことを推測する。
【００１９】
ステップＳ１０３：
各機器間で、電灯線通信がおこなわれていないことを確認する。電灯線通信では、通信路を共有するので、各機器は他の機器が通信を行っているのかを確認することができる。
【００２０】
ステップＳ１０４：
電力計は、各機器に速度測定するように指示する。
【００２１】
ステップＳ２０１：
各機器は、その指示を受信する。
【００２２】
ステップＳ２０２：
各機器において、タイマー（計時装置２０６）を開始する。
【００２３】
ステップＳ２０３、および、ステップＳ１０５
各機器は、管理装置へ一定量のパケットを送信する。管理装置はその応答を返す。
【００２４】
ステップＳ２０４：
各機器は、管理装置からの応答によって、実際に相手に到達したパケット量を知ることできる。その値から、送信速度を計算し、管理装置に通知する。
【００２５】
ステップ１０６：
管理装置は、通知された値を表１のような管理テーブルに保持する。これは、その時点の「電流消費の変化量」と「変化量の変化量（微分値）」と「プラグ部の各素子の値」と「通信速度」を記録するものである。
【００２６】
【表１】
2004193711.tif 000003
【００２７】
ステップＳ１０７、および、ステップＳ１０８：
さらに、表１を用いて、以前に記録していたデータから、同じような「電流消費の変化量」と「変化量の変化量（微分値）」を検索して、そのときの速度と比較して、遅ければ、機器に対してインピーダンスを変更するように指示する。
【００２８】
ステップＳ２０５：
各機器は、制御線３１３によって、プラグ部の抵抗３０３、コンデンサ３０４、コイル３０５、極性３０６を変更する。
【００２９】
なお、各機器が速度測定を同時におこなわないように、その実行のタイミングを管理装置が調整する。
【００３０】
（第２の実施例）
第１の実施例では、従来例の動作より伝送速度を測定する手順が増えている。そのため、機器の消費電流が増加する。
【００３１】
よって、電力供給事業者の運用面（ビジネスモデル、など）を考慮して、利用者への料金請求時に、伝送速度手順を実行するにあたっての消費電力を勘案することが考えられる。
【００３２】
その実現方式として、以下の方法がある。
・一定値の消費電力分は、請求しない。
・電力消費量が一定に推移しているときに、ステップＳ１０４からＳ１０６、および、ステップＳ２０１からＳ２０４までの手順をおこない、伝送速度測定に要する電力量を測定しておく。次に、速度測定にかかる時間の電力量を測定し、速度測定によって余計に消費された電力を求める。速度測定の実行回数を乗じて、その分を実際の電力消費量から減ずる。
【００３３】
【発明の効果】
以上、説明したように、
電灯線によって通信をおこなう通信手段と、
電力消費量などの電灯線設備の状態を検出する手段と、
を備えた第一の機器と、
電灯線によって通信をおこなう通信手段と、
電灯線通信機器の線路結合素子を変更する手段と、
を備えた第二の機器と、
において、
第一の機器と第二の機器の通信状態と電灯線設備の状態によって、
機器の線路結合素子値を変更することことによって、
機器の接続構成に応じて、実際の送信速度に基づいて、各機器を自動的に調整できるようになる。
【図面の簡単な説明】
【図１】本発明のシステム構成
【図２】プラグ部のブロック図
【図３】電灯線通信機器本体部のブロック図
【図４】管理装置（電力計）のブロック図
【図５】管理装置と各機器の制御
【符号の説明】
１００  管理装置
２００  電灯線によって通信をおこなう機器
３００  コンセントプラグ
３０３  抵抗
３０４  コンデンサ
３０５  コイル
３０６  極性スイッチ
３１３  制御線
１０２、２０１  アナログフロントエンド
１０３、２０２  電灯線通信モデム部
１０４、２０３  ＣＰＵ
１０５、２０４  ＲＡＭ
１０６、２０５  ＲＯＭ
２０６  計時装置
１０１  電力メーター
【図１】
2004193711.tif 000004
【図２】
2004193711.tif 000005
【図３】
2004193711.tif 000006
【図４】
2004193711.tif 000007
【図５】
2004193711.tif 000008